(57)【要約】【課題】包装体の外形状をコンパクトなものとすることによる不具合を無くし、お供えとする鏡餅状容器を収納した鏡餅包装体をより取り扱いの容易な製品とする。【解決手段】鏡餅状容器４を載せ置いた台５の下面に折り畳みにより偏平形態とした三方用脚６を重ね合わせ、この三方用脚６における伸長方向に対応する二面の側面板の内の一方の側面板１１を台５に連結して、偏平形態の三方用脚６を連結部分を中心にして台下方に回動可能に設け、収納箱から台５を取り出して台下方に引き降ろされたときの偏平形態の三方用脚６が、台５の下面に沿った方向に伸長できる構成とした。【選択図】    図３
2006027686.tif 000002
【特許請求の範囲】
【請求項１】
窓部を有した収納箱に、鏡餅状容器とこの鏡餅状容器を載せ置いた方形の台とを収納した包装体であって、前記収納箱の側面部分に設定された出し入れ口を開閉可能に覆う一側面板から、前記出し入れ口を通る収納箱の奥行方向に沿った収納箱の天面板に連続して前記窓部が位置して、この窓部を通して外部から前記鏡餅状容器を目視可能に設け、かつ、前記窓部を有した側面板の開きにより開放された取り出し口から、前記台に鏡餅状容器を載せ置いてなる組み合わせ物が収納箱の奥行方向に出し入れ可能に収納されていることを特徴とする鏡餅包装体。
【請求項２】
窓部を有した収納箱に、鏡餅状容器とこの鏡餅状容器を載せ置いた方形の台と脚断面方向に伸長可能に折り畳んだ三方用脚とを収納して、前記窓部を通して外部から鏡餅状容器を目視可能にし、収納箱から取り出した台の下面に、伸長して略角筒状とした三方用脚を組み付けて、前記台と三方用脚との組み合わせからなる三方に前記鏡餅状容器を載せ置きできる構成とした鏡餅包装体であって、
前記台の下面に折り畳みにより偏平形態とした三方用脚を重ね合わせ、該三方用脚における伸長方向に対応する二面の側面板の内の一方の側面板を前記台に連結して、偏平形態の三方用脚を前記連結部分を中心にして台下方に回動可能に設け、収納箱から台を取り出して台下方に引き降ろされたときの偏平形態の三方用脚が、台の下面に沿った方向に伸長できる構成としたことを特徴とする鏡餅包装体。
【請求項３】
上記台に連結させた偏平形態の三方用脚に係止して、該三方用脚の台下面への重ね合わせ状態を維持する係止手段が、前記台に設けられている請求項２に記載の鏡餅包装体。
【請求項４】
上記台は、台の下面に沿った方向に伸長して略角筒状となったときの三方用脚に係止して三方用脚の伸長形態を保持する保持手段を備えている請求項２または３に記載の鏡餅包装体。
【請求項５】
上記収納箱に屏風が収納され、該屏風は、台から収納箱の天面板に亘る寸法で上下に二つ折りされ、この二つ折り形態とした前記屏風が台から収納箱の天面板の間に配置されている請求項１から４の何れか一項に記載の鏡餅包装体。
【請求項６】
上記窓部は、上記収納箱の取り出し口を開閉可能に覆う側面板から収納箱の天面板に亘って位置して透明フィルムで覆われ、取り出し口を覆う前記側面板と前記天面板との連結部分の形状を湾曲形状にして、前記連結部分対応位置での前記透明フィルムを湾曲させた請求項１から５の何れか一項に記載の鏡餅包装体。
【発明の詳細な説明】
【技術分野】
【０００１】
本発明はお供えとして利用できる鏡餅状容器を収容した包装体に関するものである。
【背景技術】
【０００２】
従来から段ごとに丸みのある容器に餅を収容して下部シール部で封止してなる鏡餅状容器が流通している。そして、収容した餅に対する保存性が良好であることから、これをお供えとして利用できるようにすることが図られており、例えば上部に置くお飾りとの組み合わせが安定できるようにそのお飾りから鏡餅状容器にかけて透明なキャップを被せるようにした工夫が提案されている（特許文献１）。
また、鏡餅状容器とお飾りとを収納箱に収めた鏡餅包装体において、流通段階などでの潰れを防ぐために、被せ付けるキャップを収納箱の天面板に当接させて支持させるようにしたり（特許文献２）、お供えの背景部材としての屏風を収納箱に収容して、この屏風にて収納箱内側から潰れを防止する手法が提案されている（特許文献３）。
さらに上記鏡餅状容器をお供えとするときに使用する三方も消費者側で組み起こすことができるように、収納箱に台と折り畳んだ三方用脚とを収納し、購入者がこれらから三方を組むことができるようにすることが示されている（特許文献４）。
【特許文献１】特許第３０７０５９７号公報
【特許文献２】特許第２９６１１４１号公報
【特許文献３】特許第３４３９１８０号公報
【特許文献４】特許第３３６９５４０号公報
【発明の開示】
【発明が解決しようとする課題】
【０００３】
上述したように鏡餅包装体として収納箱に鏡餅状容器、台、三方用脚などを一緒に収納したものでは、この購入者側で三方を別途に用意する必要がないので便利である。しかし、近年においてはお供えとして前記鏡餅状容器に大型のものが要望されるようになってきており、これに加えて、前記収納箱に台などの用具を一緒に収納しながらも、包装体の全体を形状が大きくならないようにコンパクトなものとしたいとの要望もある。
そのため、収納箱に鏡餅状容器や台などの組み合わせを収めるときや、収納箱から取り出す操作が困難なものとなってきている。また、包装体の全体を形状が大きくならないようにする関係から、前記三方用脚を一緒に組み入れるような場合には、その三方用脚が伸長可能に折り畳まれた偏平形態で収納箱内の目立たない部分に収納することになるが、収納箱から鏡餅状容器を引き出したときにその三方用脚を落下させて紛失してしまう可能性がある。また、台と三方用脚とから三方を組み上げるには、その三方用脚を伸長して略角筒状にし、その形状を維持しながら三方用脚の各側面板の上端を台の裏面に当てがって台と三方用脚とを連結する手順となり、組み立ての手間が煩雑になるという問題があった。
そこで本発明は上記事情に鑑み、包装体の外形状をコンパクトなものとすることによる不具合を無くすことを課題とし、お供えとする鏡餅状容器を収納した鏡餅包装体をより取り扱いの容易な製品とすることを目的とするものである。
【課題を解決するための手段】
【０００４】
そこで本発明は上記課題を考慮してなされたもので、窓部を有した収納箱に、鏡餅状容器とこの鏡餅状容器を載せ置いた方形の台とを収納した包装体であって、前記収納箱の側面部分に設定された出し入れ口を開閉可能に覆う一側面板から、前記出し入れ口を通る収納箱の奥行方向に沿った収納箱の天面板に連続して前記窓部が位置して、この窓部を通して外部から前記鏡餅状容器を目視可能に設け、かつ、前記窓部を有した側面板の開きにより開放された取り出し口から、前記台に鏡餅状容器を載せ置いてなる組み合わせ物が収納箱の奥行方向に出し入れ可能に収納されていることを特徴とする鏡餅包装体を提供して、上記課題を解消するものである。
また、もう一つの発明は、窓部を有した収納箱に、鏡餅状容器とこの鏡餅状容器を載せ置いた方形の台と脚断面方向に伸長可能に折り畳んだ三方用脚とを収納して、前記窓部を通して外部から鏡餅状容器を目視可能にし、収納箱から取り出した台の下面に、伸長して略角筒状とした三方用脚を組み付けて、前記台と三方用脚との組み合わせからなる三方に前記鏡餅状容器を載せ置きできる構成とした鏡餅包装体において、前記台の下面に折り畳みにより偏平形態とした三方用脚を重ね合わせ、該三方用脚における伸長方向に対応する二面の側面板の内の一方の側面板を前記台に連結して、偏平形態の三方用脚を前記連結部分を中心にして台下方に回動可能に設け、収納箱から台を取り出して台下方に引き降ろされたときの偏平形態の三方用脚が、台の下面に沿った方向に伸長できる構成としたことを特徴とする鏡餅包装体であり、この鏡餅包装体を提供して、上記課題を解消するものである。
【０００５】
本発明において、上記台に連結させた偏平形態の三方用脚に係止して、該三方用脚の台下面への重ね合わせ状態を維持する係止手段が、前記台に設けられていることが良好である。
また、本発明において、上記台は、台の下面に沿った方向に伸長して略角筒状となったときの三方用脚に係止して三方用脚の伸長形態を保持する保持手段を備えていることが良好である。
さらに、本発明において、上記収納箱に屏風が収納され、該屏風は、台から収納箱の天面板に亘る寸法で上下に二つ折りされ、この二つ折り形態とした前記屏風が台から収納箱の天面板の間に配置されていることが良好である。
そして、本発明において、上記窓部は、上記収納箱の取り出し口を開閉可能に覆う側面板から収納箱の天面板に亘って位置して透明フィルムで覆われ、取り出し口を覆う前記側面板と前記天面板との連結部分の形状を湾曲形状にして、前記連結部分対応位置での前記透明フィルムを湾曲させた構成とすることが良好である。
【発明の効果】
【０００６】
本発明において、収納箱に収納する組み合わせ物の出し入れ方向に沿って窓部が設けられているので、その組み合わせ物がより密にして収納箱に収納されるものであっても、窓部を通して出し入れが確認できてその出し入れ操作が容易になる。また、一つの発明において、台の下面に偏平形態とした三方用脚の一つの側面板を係止させた状態で重ね合わせているので、収納箱から台を引き出したときでもその台と三方用脚とが連結した状態で三方用脚を伴った状態で引き出されるようになり、この三方用脚が紛失することがない。そして、台を引き出した後に前記三方用脚が下方に回動するように引き降ろされ、前記一つの側面板が位置決めされた状態で三方用脚を台の下面に沿って伸長できる構成であるので、三方用脚の組み起こし操作が簡単となり、三方の形成が容易になる。
【０００７】
また、本発明において、偏平形態の三方用脚を台下面に重ね合わせた状態を維持する係止手段が台に設けられているものとすれば、鏡餅状容器を載せ置いた台の下面に前記三方用脚を重ね合わせた状態の組み合わせ物の形態では、前記三方用脚が下方にぶら下がることなく、よって、前記組み合わせ物を収納箱に収める作業においてその三方用脚が収納箱の底面板などにぶつからずに適正に収納させることができるようになり、収納箱への所要物品の収納作業が簡単になって鏡餅包装体の作成が効率良く行えるようになる。
そして、本発明において、略角筒状となった三方用脚に係止して三方状脚の伸長形態を保持する保持手段を、台に備えるようにすれば、三方用脚に付いた折り癖による偏平形態への形状戻りが抑えられ、台と組み合わせてなる三方の全体形状を適正な形状に維持でき、重量物の鏡餅状容器を載せ置いても、略角筒状である脚によって重い鏡餅状容器を支え、三方の傾きも生じさせない。
さらに、本発明において、収納箱に屏風が収納され、この屏風は、台から収納箱の天面板に亘る寸法で上下に二つ折りされ、二つ折り形態とした屏風が台から収納箱の天面板の間に配置されているものとすれば、鏡餅包装体の上下方向の強度が向上するようになる。そのため、鏡餅包装体を多数積み重ねても個々の鏡餅包装体が潰れることが無く、上下方向に集積率を高めた状態で流通したり陳列したりできるようになる。
そして、本発明において、上記窓部を、収納箱の取り出し口を開閉可能に覆う側面板から収納箱の天面板に亘って位置して透明フィルムで覆ったものとし、取り出し口を覆う側面板と天面板との連結部分の形状を湾曲形状にして、連結部分対応位置での透明フィルムを湾曲させた構成とすれば、鏡餅包装体を正面側から見た形態で角張った部分が少なくなって箱状の製品としながらもソフトな外観イメージを購買者側に想起させて、アイキャッチ効果が向上する。
【発明を実施するための最良の形態】
【０００８】
つぎに本発明を図示の実施の例に基づいて詳細に説明する。
図中１は鏡餅包装体で、該鏡餅包装体１は図１と図２に示されているように略ブロック状の収納箱２の内部に、以下の物品を合わせた組み合わせ物３を収納したものである。前記組み合わせ物３は鏡餅状容器４と台５と三方用脚６と屏風７とを合わせたもので、前記台５を平面形状を四角状にして浅底としたトレイ状とし、この台５の底面板８の上に鏡餅状容器４が載せ置かれている。鏡餅状容器４は二段容器に餅を収納して下部シール部９にて封止してなるものであり、薄板状にして張り出した下部シール部９の外周形状が前記台５の底面板８も対応している。さらに鏡餅状容器４の左右と後部とを囲むようにして前記屏風７を鏡餅状容器４における下部シール部９上に載せて配置している。
さらに組み合わせ物３中の三方用脚６は従来と同じように台５と組み合わせて三方を形成する。そして、この三方用脚６は前記三方を形成したときに略角筒状の形状となるように四枚の側面板１０、１１、１２、１３を連接しているものであり（図５参照）、収納箱２内に収まるコンパクトな形状とすべく、対向する一組二枚の側面板１０、１２を二つ折りし、その二つ折りされた側面板１０、１２を間にして他の一組二枚の側面板１１、１３が近接するように折り畳んで偏平形態としたものであり、前記側面板１１、１３が対向する方向に伸長可能に設けられている。
【０００９】
本発明の鏡餅包装体１において、収納箱２から上記組み合わせ物３を引き出して三方を簡単に組み上げることができるようにした工夫がある。その点を説明すると、図３に示すように偏平形態の三方用脚６を台５の下面に重ね合わせていて、伸長方向に対向する側面板１１、１３の内、台５との重ね合わせした状態で最下位となる側面板１１の上端に係止片１４を設け、この係止片１４を台５に設けたスリット１５に差し入れ係止したことによって台５と偏平形態の三方用脚６とを連結し、この連結部分を中心にして偏平形態の三方用脚６が台５の下面から下方に回動可能に設けられている。よって、収納箱２から台５を取り出して台下方に引き降ろされたときの偏平形態の前記三方用脚６は、台５の下面に沿った方向に伸長できる構成となるものである。
【００１０】
また、偏平形態の三方用脚６が回動可能に連結して下面に重ね合されている上記台５にあっては、三方用脚６の上記側面板１１に対向する側面板１３を連結するためのスリット１６、三方用脚６の重ね合わせ保持用として切り込み形成された係止手段１７、三方用脚６の伸長した形状を保持するために切り込み形成された保持手段１８がそれぞれ台５の底面板８に設けられている（図４）。
まず、上述したように、収納箱２から引き出した組み合わせ物３において、例えば鏡餅状容器４を載せ置いた状態のままその台５の下方に偏平形態の三方用脚６を引き降ろし、そして台５の下面に沿った方向に三方用脚６を伸長させ、略角筒形状としたときの上記側面板１３の上端に対応する位置に、上記スリット１６が設けられている。そして、側面板１３の上端に連続する係止片１９をこのスリット１６に係止させることで台５の底面板８と側面板１３とが連結され、台５と略角筒状の三方用脚６とが一体となる（図５）。
なお、スリット１５も予め設定された位置にあり、略角筒状となったときの三方用脚６として側面板１１が適正位置に立つ位置となるように設定されているものである。
【００１１】
また、三方用脚６の伸長した形状を保持するため保持手段１８は、上記スリット１５、１６の中央位置にして、三方用脚６の伸長方向と直角となる方向を長手にした舌状片である。即ち、上記二つ折りされた側面板１０、１２の対向方向に沿った方向を長手としていて、三方用脚６を伸長して開いた前記側面板１０、１２との間にこの保持手段１８を折り倒して側面板１０、１２に脚内方側から当接するようにしたものである。
このように台５と三方用脚６とから三方を形成するに際して、上述の側面板１１、１３の底面板８に対する連結と、保持手段１８による三方用脚６の伸長形態の保持を行なうことで、略角筒形状の三方用脚６の形状が定まり、よって、三方全体の形状も安定する。そして、台５に対する三方用脚６の適正な組み合わせによって三方の形状が安定することから、比較的重量のある鏡餅状容器であっても台５の底面板８に載せ置いてお供えとすることができる。
【００１２】
さらに底面板８に設けられている上記係止手段１７は、台５の下面に重ね合わせた状態とした偏平形態の三方用脚６に係脱可能に係止する舌状片を切り込み形成してなるものであり、図示の例では重ね合わせた状態での側面板１１の下端に対応する位置にあり、この側面板１１に係止して、組み合わせ物３を収納箱２から引き出しても偏平形態の三方用脚６が不必要に下方に向けて回動しないように図る（図３）。なお、この係止手段１７の三方用脚６への係止強さは、手で三方用脚６を引き降ろす操作が困難とならない係止強さに設定されている。
このように係止手段１７によって偏平形態の三方用脚６が台５の底面板８の下面に重ね合わせた状態で支持されるので、鏡餅包装体１を作成する上で、台５に鏡餅状容器４を載せ置きながら収納箱２に挿入しても三方用脚６が収納箱２の底面板などにぶつかることがなく、簡単に組み合わせ物の収納箱２への収納が行えるものとなっている。
【００１３】
上記組み合わせ物３における屏風７は上述したように鏡餅状容器４の左右と後とを囲むように位置した状態出収納箱２に収納されるものである。そして、この収納状態で、屏風７は、台５での鏡餅状容器４の薄い下部シール部９に乗り、かつ収納箱２の天面板２０に接するようにして台５から収納箱２の天面板２０に亘って位置しており、さらに、台５の位置から前記天面板２０までの寸法で上下に二つ折りした状態で、この収納箱２に収納されているものである（図１参照）。このように二つ折りした状態の屏風７が台５と天面板２０の間に介在しているので、その屏風７が補強材の役割をも果たして収納箱２の上下方向の強度を向上させ、多数の鏡餅包装体１を上下方向に積み重ねても個々の鏡餅包装体１が潰れないように図られている。
屏風７自体は化粧面が金色としているもので、組み合わせ物３を収納箱２から引き出し、さらに組み上げた三方に鏡餅状容器４を載せ置いた状態で、背景部材として利用する（図６）。背景部材とする場合には上下の二つ折りを展開し、縦の折り罫に沿ってジグザグ折りすることで、反射効果のある屏風となる。屏風７の化粧面の金色は豪華さを演出するためのものであり、この他に絵柄などを設けたものであってもよい。
【００１４】
収納箱２は図示されているように、組み合わせ物３の取り出し口として設定した側面部分（正面）の開口を開閉可能に覆う側面板２１から、取り出し口を通る収納箱の奥行方向にして天面板２０に亘る広い領域に窓部２２が位置していて、この窓部２２が透明フィルム２３で覆われている（図１）。このため、内部に収納した鏡餅状容器４を、例えば購入者に見せることができ、その左右および後も上記金色の屏風７を配置していることから、豪華な商品であることを窓部７の透明フィルム２３を透して強調できるようになる。また、側面板２１を開いても出し入れ操作が窓部２２を通して確認でき、出し入れが容易になる。
さらに、収納箱２の取り出し口を覆っている上記側面板２１が位置する正面において、その側面板２１と天面板２０との連結部分２４の形状を湾曲形状にして、さらにその連結部分２４に対応する位置で前記透明フィルム２３を同様のアールとなるように湾曲させている。これによって、通常の箱体からは感じえない柔らかさを本鏡餅包装体１の正面デザインに加味されたものとなっており、購入者へのアイキャッチ効果を頗る向上させている。
【図面の簡単な説明】
【００１５】
【図１】本発明に係る鏡餅包装体の一例を示す説明図である。
【図２】組み合わせ物を収納箱から引き出した状態を示す説明図である。
【図３】台の下面に偏平形態の三方用脚を重ね合わせた状態を示す説明図である。
【図４】台の底面板を示す説明図である。
【図５】台と三方用脚とでなる三方を示す説明図である。
【図６】三方に鏡餅状容器を載せ置き背部に屏風を配した使用形態の例を示す説明図である。
【符号の説明】
【００１６】
１…鏡餅包装体
２…収納箱
３…組み合わせ物
４…鏡餅状容器
５…台
６…三方用脚
７…屏風
８…底面板
１０、１１、１２、１３…側面板
１４…係止片
１５、１６…スリット
１７…係止手段
１８…保持手段
１９…係止片
２２…窓部
２３…透明フィルム
【図１】
2006027686.tif 000003
【図２】
2006027686.tif 000004
【図３】
2006027686.tif 000005
【図４】
2006027686.tif 000006
【図５】
2006027686.tif 000007
【図６】
2006027686.tif 000008